(57)【要約】  【課題】利用性が向上するデジタル放送システムを提供すること。  【解決手段】本発明のデジタル放送システムは、送信機（１）と、ユーザ（Ｙ）に利用されるテレビ（５０）を具備する。テレビ（５０）は、受信機（３）と、表示装置（４）とを具備する。送信機（１）と受信機（３）とはネットワーク（２）に接続されている。表示装置（４）は、受信機（３）に接続されている。送信機（１）は、送信データを送信する。送信データは、テレビ放送用の映像データと、映像データの特定領域を表す輪郭データと、特定領域に関連する情報である属性データとを含む。受信機（３）は、送信データに含まれる映像データと輪郭データと属性データとを格納する記憶装置を具備する。受信機（３）は、ユーザ（Ｙ）による再生指示に応じて、記憶装置に格納された映像データと輪郭データとを重ねて表示装置（４）に表示する。受信機（３）は、ユーザ（Ｙ）による輪郭指示に応じて、輪郭データに対応する属性データを記憶装置から読み出し、映像データに重ねて表示装置（４）に表示する。  【選択図】図４
2005260379.tif 000002
【特許請求の範囲】
【請求項１】
ネットワークに接続され、テレビ放送用の映像データと前記映像データの特定領域を表す輪郭データと前記特定領域に関連する情報である属性データとを含む送信データを送信する送信機と、
前記ネットワークに接続された受信機と、
前記受信機に接続された表示装置とを具備し、
前記受信機は、
前記送信機からの前記送信データを受信する制御装置と、
前記送信データに含まれる前記映像データと前記輪郭データと前記属性データとを格納する記憶装置とを具備し、
前記制御装置は、
ユーザによる再生指示に応じて、前記記憶装置に格納された前記映像データと前記輪郭データとを重ねて前記表示装置に表示する映像表示制御部と、
ユーザによる輪郭指示に応じて、前記輪郭データに対応する前記属性データを前記記憶装置から読み出し、前記映像データに重ねて前記表示装置に表示する属性表示制御部と
を具備するデジタル放送システム。
【請求項２】
請求項１に記載のデジタル放送システムにおいて、
前記記憶装置は、
第１記憶領域である第１光ディスク記憶部と第２記憶領域である第２光ディスク記憶部とを含む光ディスクと、
メモリとを具備し、
前記第１光ディスク記憶部は、前記映像データと前記輪郭データとを格納し、
前記第２光ディスク記憶部は、前記属性データを格納し、
前記制御装置は、更に、
ユーザによる読出指示に応じて、前記属性データを前記第２光ディスク記憶部から読み出して前記メモリに格納する読出制御部を具備し、
前記映像表示制御部は、前記読出指示の後の前記再生指示に応じて、前記第１光ディスク記憶部に格納された前記映像データと前記輪郭データとを重ねて前記表示装置に表示し、
前記属性表示制御部は、前記輪郭指示に応じて、前記輪郭データに対応する前記属性データを前記メモリから読み出し、前記映像データに重ねて前記表示装置に表示する
デジタル放送システム。
【請求項３】
請求項２に記載のデジタル放送システムにおいて、
前記制御装置は、更に、
前記送信機から前記送信データを受信したときに、前記映像データと前記輪郭データとを前記第１光ディスク記憶部に格納する映像保存制御部と、
前記送信機から前記送信データを受信したときに、前記属性データを前記メモリに格納する第１属性保存制御部と、
前記送信機から前記送信データを受信していない場合、属性保存許可指示を出力する受信制御部と、
前記属性保存許可指示に応じて、前記メモリから前記属性データを読み出して前記第２光ディスク記憶部に格納する第２属性保存制御部と
を具備するデジタル放送システム。
【請求項４】
請求項２又は３に記載のデジタル放送システムにおいて、
前記輪郭データは、前記属性データを識別する属性データ識別子を含み、
前記属性表示制御部は、前記輪郭指示に応じて、前記属性データ識別子に対応する前記属性データを前記メモリから読み出し、前記映像データに重ねて前記表示装置に表示する
デジタル放送システム。
【請求項５】
請求項１〜４のいずれか一項に記載のデジタル放送システムにおいて、
前記輪郭データは、前記映像データの前記特定領域の位置を指し示す位置情報を含み、
前記映像表示制御部は、前記再生指示に応じて、前記記憶装置に格納された前記映像データと前記輪郭データとを読み出し、前記映像データを前記表示装置に表示し、前記位置情報に基づいて、前記映像データの前記特定領域に前記輪郭データを重ねて前記表示装置に表示する
デジタル放送システム。
【請求項６】
請求項１〜５のいずれか一項に記載のデジタル放送システムにおいて、
前記属性データは、前記映像データの前記特定領域に写された人に関連する個人情報と、前記映像データの前記特定領域に写された品物に関連する品物情報との少なくとも１つを含む
デジタル放送システム。
【請求項７】
請求項６に記載のデジタル放送システムにおいて、
前記個人情報は、前記人への連絡先を含み、
前記人への前記連絡先は、前記人又は前記人の関係者が所有する端末のＵＲＬと、前記人又は前記関係者が所有する電話機の電話番号と、前記人又は前記関係者が所有するファクシミリのファクシミリ番号との少なくとも１つを含む
デジタル放送システム。
【請求項８】
請求項６に記載のデジタル放送システムにおいて、
前記品物情報は、前記品物の名前と、前記品物の値段と、前記品物を販売する販売元の名称と、前記販売元への連絡先の少なくとも１つを含み、
前記販売元への前記連絡先は、前記販売元が所有する端末のＵＲＬと、前記販売元が所有する電話機の電話番号と、前記販売元が所有するファクシミリのファクシミリ番号との少なくとも１つを含む
デジタル放送システム。
【請求項９】
請求項７又は８に記載のデジタル放送システムにおいて、
前記受信機は、通信網に接続され、
前記制御装置は、更に、
ユーザによるＵＲＬ通信指示に応じて、前記表示装置に表示された前記属性データに含まれる前記ＵＲＬを用いて、前記端末と前記通信網を介して通信するＵＲＬ通信制御部
を具備するデジタル放送システム。
【請求項１０】
請求項６〜９のいずれか一項に記載のデジタル放送システムにおいて、
前記品物は、前記人が身に付けている
デジタル放送システム。
【請求項１１】
テレビ放送用の映像データと前記映像データの特定領域を表す輪郭データと前記特定領域に関連する情報である属性データとを含む送信データを送信する送信機とネットワークを介して接続され、表示装置と接続された受信機であって、
前記送信機からの前記送信データを受信する制御装置と、
前記送信データに含まれる前記映像データと前記輪郭データと前記属性データとを格納する記憶装置とを具備し、
前記制御装置は、
ユーザによる再生指示に応じて、前記記憶装置に格納された前記映像データと前記輪郭データとを重ねて前記表示装置に表示する映像表示制御部と、
ユーザによる輪郭指示に応じて、前記輪郭データに対応する前記属性データを前記記憶装置から読み出し、前記映像データに重ねて前記表示装置に表示する属性表示制御部と
を具備する受信機。
【請求項１２】
請求項１１に記載の受信機において、
前記記憶装置は、
第１記憶領域である第１光ディスク記憶部と第２記憶領域である第２光ディスク記憶部とを含む光ディスクと、
メモリとを具備し、
前記第１光ディスク記憶部は、前記映像データと前記輪郭データとを格納し、
前記第２光ディスク記憶部は、前記属性データを格納し、
前記制御装置は、更に、
ユーザによる読出指示に応じて、前記属性データを前記第２光ディスク記憶部から読み出して前記メモリに格納する読出制御部を具備し、
前記映像表示制御部は、前記読出指示の後の前記再生指示に応じて、前記第１光ディスク記憶部に格納された前記映像データと前記輪郭データとを重ねて前記表示装置に表示し、
前記属性表示制御部は、前記輪郭指示に応じて、前記輪郭データに対応する前記属性データを前記メモリから読み出し、前記映像データに重ねて前記表示装置に表示する
受信機。
【請求項１３】
請求項１２に記載の受信機において、
前記制御装置は、更に、
前記送信機から前記送信データを受信したときに、前記映像データと前記輪郭データとを前記第１光ディスク記憶部に格納する映像保存制御部と、
前記送信機から前記送信データを受信したときに、前記属性データを前記メモリに格納する第１属性保存制御部と、
前記送信機から前記送信データを受信していない場合、属性保存許可指示を出力する受信制御部と、
前記属性保存許可指示に応じて、前記メモリから前記属性データを読み出して前記第２光ディスク記憶部に格納する第２属性保存制御部と
を具備する受信機。
【請求項１４】
請求項１２又は１３に記載の受信機において、
前記輪郭データは、前記属性データを識別する属性データ識別子を含み、
前記属性表示制御部は、前記輪郭指示に応じて、前記属性データ識別子に対応する前記属性データを前記メモリから読み出し、前記映像データに重ねて前記表示装置に表示する
受信機。
【請求項１５】
請求項１１〜１４のいずれか一項に記載の受信機において、
前記輪郭データは、前記映像データの前記特定領域の位置を指し示す位置情報を含み、
前記映像表示制御部は、前記再生指示に応じて、前記記憶装置に格納された前記映像データと前記輪郭データとを読み出し、前記映像データを前記表示装置に表示し、前記位置情報に基づいて、前記映像データの前記特定領域に前記輪郭データを重ねて前記表示装置に表示する
受信機。
【請求項１６】
請求項１１〜１５のいずれか一項に記載の受信機において、
前記属性データは、前記映像データの前記特定領域に写された人に関連する個人情報と、前記映像データの前記特定領域に写された品物に関連する品物情報との少なくとも１つを含む
受信機。
【請求項１７】
請求項１６に記載の受信機において、
前記個人情報は、前記人への連絡先を含み、
前記人への前記連絡先は、前記人又は前記人の関係者が所有する端末のＵＲＬと、前記人又は前記関係者が所有する電話機の電話番号と、前記人又は前記関係者が所有するファクシミリのファクシミリ番号との少なくとも１つを含む
受信機。
【請求項１８】
請求項１６に記載の受信機において、
前記品物情報は、前記品物の名前と、前記品物の値段と、前記品物を販売する販売元の名称と、前記販売元への連絡先の少なくとも１つを含み、
前記販売元への前記連絡先は、前記販売元が所有する端末のＵＲＬと、前記販売元が所有する電話機の電話番号と、前記販売元が所有するファクシミリのファクシミリ番号との少なくとも１つを含む
受信機。
【請求項１９】
請求項１７又は１８に記載の受信機において、
前記受信機は、通信網に接続され、
前記制御装置は、更に、
ユーザによるＵＲＬ通信指示に応じて、前記表示装置に表示された前記属性データに含まれる前記ＵＲＬを用いて、前記端末と前記通信網を介して通信するＵＲＬ通信制御部
を具備する受信機。
【請求項２０】
請求項１６〜１９のいずれか一項に記載の受信機において、
前記品物は、前記人が身に付けている
受信機。
【請求項２１】
テレビ放送用の映像データと前記映像データの特定領域を表す輪郭データと前記特定領域に関連する情報である属性データとを含む送信データを送信する送信機とネットワークを介して接続された受信機と、
前記受信機に接続された表示装置とを具備し、
前記受信機は、
前記送信機からの前記送信データを受信する制御装置と、
前記送信データに含まれる前記映像データと前記輪郭データと前記属性データとを格納する記憶装置とを具備し、
前記制御装置は、
ユーザによる再生指示に応じて、前記記憶装置に格納された前記映像データと前記輪郭データとを重ねて前記表示装置に表示する映像表示制御部と、
ユーザによる輪郭指示に応じて、前記輪郭データに対応する前記属性データを前記記憶装置から読み出し、前記映像データに重ねて前記表示装置に表示する属性表示制御部と
を具備するテレビ。
【請求項２２】
請求項２１に記載のテレビにおいて、
前記記憶装置は、
第１記憶領域である第１光ディスク記憶部と第２記憶領域である第２光ディスク記憶部とを含む光ディスクと、
メモリとを具備し、
前記第１光ディスク記憶部は、前記映像データと前記輪郭データとを格納し、
前記第２光ディスク記憶部は、前記属性データを格納し、
前記制御装置は、更に、
ユーザによる読出指示に応じて、前記属性データを前記第２光ディスク記憶部から読み出して前記メモリに格納する読出制御部を具備し、
前記映像表示制御部は、前記読出指示の後の前記再生指示に応じて、前記第１光ディスク記憶部に格納された前記映像データと前記輪郭データとを重ねて前記表示装置に表示し、
前記属性表示制御部は、前記輪郭指示に応じて、前記輪郭データに対応する前記属性データを前記メモリから読み出し、前記映像データに重ねて前記表示装置に表示する
テレビ。
【請求項２３】
請求項２２に記載のテレビにおいて、
前記制御装置は、更に、
前記送信機から前記送信データを受信したときに、前記映像データと前記輪郭データとを前記第１光ディスク記憶部に格納する映像保存制御部と、
前記送信機から前記送信データを受信したときに、前記属性データを前記メモリに格納する第１属性保存制御部と、
前記送信機から前記送信データを受信していない場合、属性保存許可指示を出力する受信制御部と、
前記属性保存許可指示に応じて、前記メモリから前記属性データを読み出して前記第２光ディスク記憶部に格納する第２属性保存制御部と
を具備するテレビ。
【請求項２４】
請求項２２又は２３に記載のテレビにおいて、
前記輪郭データは、前記属性データを識別する属性データ識別子を含み、
前記属性表示制御部は、前記輪郭指示に応じて、前記属性データ識別子に対応する前記属性データを前記メモリから読み出し、前記映像データに重ねて前記表示装置に表示する
テレビ。
【請求項２５】
請求項２１〜２４のいずれか一項に記載のテレビにおいて、
前記輪郭データは、前記映像データの前記特定領域の位置を指し示す位置情報を含み、
前記映像表示制御部は、前記再生指示に応じて、前記記憶装置に格納された前記映像データと前記輪郭データとを読み出し、前記映像データを前記表示装置に表示し、前記位置情報に基づいて、前記映像データの前記特定領域に前記輪郭データを重ねて前記表示装置に表示する
テレビ。
【請求項２６】
請求項２１〜２５のいずれか一項に記載のテレビにおいて、
前記属性データは、前記映像データの前記特定領域に写された人に関連する個人情報と、前記映像データの前記特定領域に写された品物に関連する品物情報との少なくとも１つを含む
テレビ。
【請求項２７】
請求項２６に記載のテレビにおいて、
前記個人情報は、前記人への連絡先を含み、
前記人への前記連絡先は、前記人又は前記人の関係者が所有する端末のＵＲＬと、前記人又は前記関係者が所有する電話機の電話番号と、前記人又は前記関係者が所有するファクシミリのファクシミリ番号との少なくとも１つを含む
テレビ。
【請求項２８】
請求項２６に記載のテレビにおいて、
前記品物情報は、前記品物の名前と、前記品物の値段と、前記品物を販売する販売元の名称と、前記販売元への連絡先の少なくとも１つを含み、
前記販売元への前記連絡先は、前記販売元が所有する端末のＵＲＬと、前記販売元が所有する電話機の電話番号と、前記販売元が所有するファクシミリのファクシミリ番号との少なくとも１つを含む
テレビ。
【請求項２９】
請求項２７又は２８に記載のテレビにおいて、
前記受信機は、通信網に接続され、
前記制御装置は、更に、
ユーザによるＵＲＬ通信指示に応じて、前記表示装置に表示された前記属性データに含まれる前記ＵＲＬを用いて、前記端末と前記通信網を介して通信するＵＲＬ通信制御部
を具備するテレビ。
【請求項３０】
請求項２６〜２９のいずれか一項に記載のテレビにおいて、
前記品物は、前記人が身に付けている
テレビ。
【請求項３１】
テレビ放送用の映像データと前記映像データの特定領域を表す輪郭データと前記特定領域に関連する情報である属性データとを含む送信データを送信する送信機とネットワークを介して接続され、表示装置と接続され、記憶装置を具備する受信機を用いて、前記映像データを再生する映像再生方法であって、
前記送信データに含まれる前記映像データと前記輪郭データと前記属性データとを前記記憶装置に格納する記憶ステップと、
ユーザによる再生指示に応じて、前記記憶装置に格納された前記映像データと前記輪郭データとを重ねて前記表示装置に表示する映像表示ステップと、
ユーザによる輪郭指示に応じて、前記輪郭データに対応する前記属性データを前記記憶装置から読み出し、前記映像データに重ねて前記表示装置に表示する属性表示ステップと
を具備する映像再生方法。
【請求項３２】
請求項３１に記載の映像再生方法において、
前記記憶ステップは、
前記送信機から前記送信データを受信したときに、前記記憶装置である光ディスクの第１記憶領域に前記映像データと前記輪郭データとを格納する映像保存ステップと、
前記送信機から前記送信データを受信したときに、前記記憶装置である前記メモリに前記属性データを格納する第１属性保存ステップと、
送信機から送信データを受信していない場合、前記メモリから前記属性データを読み出して前記第２記憶領域に格納する第２属性保存ステップとを含み、
前記映像再生方法は、更に、
ユーザによる読出指示に応じて、前記属性データを前記第２記憶領域から読み出してメモリに格納する読出ステップを具備し、
前記映像表示ステップは、前記読出指示の後の前記再生指示に応じて、前記第１記憶領域に格納された前記映像データと前記輪郭データとを重ねて前記表示装置に表示するステップを含み、
前記属性表示ステップは、前記輪郭指示に応じて、前記輪郭データに対応する前記属性データを前記メモリから読み出し、前記映像データに重ねて前記表示装置に表示するステップを含む
映像再生方法。
【請求項３３】
請求項３２に記載の映像再生方法において、
前記輪郭データは、前記属性データを識別する属性データ識別子を含み、
前記属性表示ステップは、前記輪郭指示に応じて、前記属性データ識別子に対応する前記属性データを前記メモリから読み出し、前記映像データに重ねて前記表示装置に表示するステップを含む
映像再生方法。
【請求項３４】
請求項３１〜３３のいずれか一項に記載の映像再生方法において、
前記輪郭データは、前記映像データの前記特定領域の位置を指し示す位置情報を含み、
前記映像表示ステップは、前記再生指示に応じて、前記記憶装置に格納された前記映像データと前記輪郭データとを読み出し、前記映像データを前記表示装置に表示し、前記位置情報に基づいて、前記映像データの前記特定領域に前記輪郭データを重ねて前記表示装置に表示するステップを含む
映像再生方法。
【請求項３５】
請求項３１〜３４のいずれか一項に記載の映像再生方法において、
前記属性データは、前記映像データの前記特定領域に写された人に関連する個人情報と、前記映像データの前記特定領域に写された品物に関連する品物情報との少なくとも１つを含む
映像再生方法。
【請求項３６】
請求項３５に記載の映像再生方法において、
前記個人情報は、前記人への連絡先を含み、
前記人への前記連絡先は、前記人又は前記人の関係者が所有する端末のＵＲＬと、前記人又は前記関係者が所有する電話機の電話番号と、前記人又は前記関係者が所有するファクシミリのファクシミリ番号との少なくとも１つを含む
映像再生方法。
【請求項３７】
請求項３５に記載の映像再生方法において、
前記品物情報は、前記品物の名前と、前記品物の値段と、前記品物を販売する販売元の名称と、前記販売元への連絡先の少なくとも１つを含み、
前記販売元への前記連絡先は、前記販売元が所有する端末のＵＲＬと、前記販売元が所有する電話機の電話番号と、前記販売元が所有するファクシミリのファクシミリ番号との少なくとも１つを含む
映像再生方法。
【請求項３８】
請求項３６又は３７に記載の映像再生方法において、
前記受信機は、通信網に接続され、
前記映像再生方法は、更に、
ユーザによるＵＲＬ通信指示に応じて、前記表示装置に表示された前記属性データに含まれる前記ＵＲＬを用いて、前記端末と前記通信網を介して通信するＵＲＬ通信ステップを
具備する映像再生方法。
【請求項３９】
請求項３５〜３８のいずれか一項に記載の映像再生方法において、
前記品物は、前記人が身に付けている
映像再生方法。
【発明の詳細な説明】
【技術分野】
【０００１】
本発明は、デジタル放送を行なうデジタル放送システムに関する。
【背景技術】
【０００２】
デジタル放送では、マルチメディアサービスであるデータ放送が可能になっている。データ放送としては、テレビ放送や音声放送を補完する付加データ放送と、テレビ放送や音声放送とは独立した独立データ放送とが挙げられる。
【０００３】
独立データ放送では、ユーザがチャンネル切り替えることによりデータ放送を視聴することができる。図１に示されるように、ユーザがチャンネルを切り替えた場合、表示装置１００には、データ放送１０１のみが表示される。
【０００４】
付加データ放送では、ユーザがテレビ放送あるいは音声放送を視聴中にリモートコントロール（リモコン）のｄボタン（データボタンと呼ばれている）を押すことによりデータ放送を視聴することができる。付加データ放送を表示装置に表示する例としてＬ字合成とオーバーレイとが挙げられる。
図２に示されるように、Ｌ字合成とは、Ｌ字に構成されたデータ放送１０３用の画面を表示装置１００に表示し、表示装置１００に表示される画面のうち、縮小されたテレビ放送１０２用の画面をデータ放送１０３用の画面以外の部分に表示することをいう。
図３に示されるように、オーバーレイとは、テレビ放送１０４用の画面を表示装置１００に表示し、データ放送１０５用の画面をテレビ放送１０４用の画面に重ねて表示装置１００に表示することをいう。また、データ放送１０５用の画面をテレビ放送１０４用の画面に重ねることにより、字幕、文字スーパーが可能である。
【０００５】
多くのテレビ放送事業者が付加データ放送によりニュース、天気予報、交通情報、スポーツの結果など、放送中のテレビ放送とは独立した内容のデータ放送を行なっている。この場合、ユーザは、データ放送から、ある情報（ニュース、天気予報、交通情報、スポーツの結果）を得ることができる。
【０００６】
【非特許文献１】八木伸行、吉村俊郎、加井謙二郎著「データ放送技術読本」オーム社、２００２年２月２５日、ｐ．９−１１
【発明の開示】
【発明が解決しようとする課題】
【０００７】
本発明の課題は、利用性が向上するデジタル放送システムを提供することにある。
【０００８】
本発明の他の課題は、テレビ放送から、ユーザが要求する情報を得ることができるデジタル放送システムを提供することにある。
【０００９】
本発明の更に他の課題は、ユーザが要求する情報を素早く提供することができるデジタル放送システムを提供することにある。
【００１０】
本発明の更に他の課題は、品物の流通を促進させることができるデジタル放送システムを提供することにある。
【課題を解決するための手段】
【００１１】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１２】
本発明のデジタル放送システムは、送信機（１）と、ユーザ（Ｙ）に利用されるテレビ（５０）を具備する。テレビ（５０）は、受信機（３）と、表示装置（４）とを具備する。送信機（１）と受信機（３）とはネットワーク（２）に接続されている。表示装置（４）は、受信機（３）に接続されている。
送信機（１）は、送信データを送信する。送信データは、テレビ放送用の映像データ（１０−ｉ）（ｉ＝１、２、…、ｎ；ｎは１以上の整数）と、映像データ（１０−ｉ）の特定領域（９）を表す輪郭データ（７０−ｉ）と、特定領域（９）に関連する情報である属性データ（８０−ｉ）とを含む。
受信機（３）は、送信データを受信するための制御装置（４０）と、記憶装置（３６）とを具備する。制御装置（４０）は、映像表示制御部（５７）と、属性表示制御部（５８）とを具備する。
記憶装置（３６）は、送信データに含まれる映像データ（１０−ｉ）と輪郭データ（７０−ｉ）と属性データ（８０−ｉ）とを格納する。
映像表示制御部（５７）は、ユーザ（Ｙ）による再生指示に応じて（Ｓ２４−ＹＥＳ）、記憶装置（３６）に格納された映像データ（１０−ｉ）と輪郭データ（７０−ｉ）とを重ねて表示装置（４）に表示する（Ｓ２５〜Ｓ２８）。
属性表示制御部（５８）は、ユーザ（Ｙ）による輪郭指示に応じて（Ｓ３１−ＹＥＳ）、輪郭データ（７０−ｉ）に対応する属性データ（８０−ｉ）を記憶装置（３６）から読み出し、映像データ（１０−ｉ）に重ねて表示装置（４）に表示する（Ｓ３２、Ｓ３３）。
【００１３】
ユーザ（Ｙ）は、テレビ放送｛映像データ（１０−ｉ）｝の特定領域（９）に写されたものを更に知りたい場合がある。この場合、受信機（３）は、ユーザ（Ｙ）による要求（輪郭指示）に応じて、映像データ（１０−ｉ）の特定領域（９）に関連する情報である属性データ（８０−ｉ）をユーザＹに提供する。このように、本発明のデジタル放送システムによれば、ユーザ（Ｙ）は、テレビ放送｛映像データ（１０−ｉ）｝から、ユーザ（Ｙ）が要求する情報｛属性データ（８０−ｉ）｝を得ることができる。
従って、本発明のデジタル放送システムによれば、ユーザ（Ｙ）は、テレビ放送｛映像データ（１０−ｉ）｝を視聴するだけでなく、情報｛属性データ（８０−ｉ）｝を知りたいときに要求することにより、受信機（３）の利用性が向上する。
【００１４】
本発明のデジタル放送システムにおいて、記憶装置（３６）は、光ディスク（３７）と、メモリ（３８）とを具備する。光ディスク（３７）は、光ディスク（３７）の第１記憶領域（４１）である第１光ディスク記憶部（４３）と、光ディスク（３７）の第２記憶領域（４２）である第２光ディスク記憶部（４４）とを含む。第１光ディスク記憶部（４３）は、映像データ（１０−ｉ）と輪郭データ（７０−ｉ）とを格納する。第２光ディスク記憶部（４４）は、属性データ（８０−ｉ）を格納する。
受信機（３）の制御装置（４０）は、更に、読出制御部（５６）を具備する。
読出制御部（５６）は、ユーザ（Ｙ）による読出指示に応じて（Ｓ２１−ＹＥＳ）、属性データ（８０−ｉ）を第２光ディスク記憶部（４４）から読み出してメモリ（３８）に格納する（Ｓ２２、Ｓ２３）。
映像表示制御部（５７）は、読出指示の後の再生指示に応じて（Ｓ２４−ＹＥＳ）、第１光ディスク記憶部（４３）に格納された映像データ（１０−ｉ）と輪郭データ（７０−ｉ）とを重ねて表示装置（４）に表示する（Ｓ２５〜Ｓ２８）。
属性表示制御部（５８）は、輪郭指示に応じて（Ｓ３１−ＹＥＳ）、輪郭データ（７０−ｉ）に対応する属性データ（８０−ｉ）をメモリ（３８）から読み出し、映像データ（１０−ｉ）に重ねて表示装置（４）に表示する（Ｓ３２、Ｓ３３）。
【００１５】
本発明のデジタル放送システムでは、受信機（３）の利用性を向上させるために、記憶装置（３６）として光ディスク（３７）を用いる。光ディスク（３７）は、近年の開発により大容量化され、家庭用としても普及されており、ビデオテープに代わる記録媒体として期待されている。
しかし、光ディスク（３７）は、ハードディスクと違って、一つのヘッドにより読み出し／書き込みを行なうため、読み出し／書き込みのスピードがハードディスクに比べて遅い。
そこで、本発明のデジタル放送システムでは、ユーザが要求する情報｛属性データ（８０−ｉ）｝を素早く提供するために、記憶装置（３６）として更にメモリ（３８）を用いる。受信機（３）では、映像データ（１０−ｉ）を再生する前に、読出制御部（５６）は、読出指示に応じて、属性データ（８０−ｉ）を光ディスク（３７）の第２光ディスク記憶部（４４）から読み出してメモリ（３８）に格納しておく。映像表示制御部（５７）は、再生指示に応じて、光ディスク（３７）の第１光ディスク記憶部（４３）にヘッドをシークさせて、第１光ディスク記憶部（４３）から映像データ（１０−ｉ）、輪郭データ（７０−ｉ）を読み出して表示装置（４）に表示する。ユーザ（Ｙ）は、属性データ（８０−ｉ）を表示装置（４）に表示させるために、輪郭データ（７０−ｉ）を指定する輪郭指示を行なう。このとき、受信機（３）では、映像表示制御部（５７）が第１光ディスク記憶部（４３）にヘッドをシークさせたまま、属性表示制御部（５８）は、輪郭データ（７０−ｉ）に対応する属性データ（８０−ｉ）をメモリ（３８）から読み出して表示装置（４）に表示することができる。したがって、本発明のデジタル放送システムでは、ユーザが要求する情報｛属性データ（８０−ｉ）｝を素早く提供することができる。本発明のデジタル放送システムでは、光ディスク（３７）とメモリ（３８）とを用いることにより、映像データ（１０−１〜１０−ｎ）を連続的に読み出して、読み出した映像データ（１０−１〜１０−ｎ）をスムーズに再生することができる。
【００１６】
本発明のデジタル放送システムにおいて、受信機（３）の制御装置（４０）は、更に、映像保存制御部（５２）と、第１属性保存制御部（５３）と、受信制御部（５１）と、第２属性保存制御部（５４）とを具備する。
映像保存制御部（５２）は、送信機（１）から送信データを受信したときに（Ｓ１１、Ｓ１６−ＹＥＳ）、映像データ（１０−ｉ）と輪郭データ（７０−ｉ）とを第１光ディスク記憶部（４３）に格納する（Ｓ１２、Ｓ１３）。
第１属性保存制御部（５３）は、送信機（１）から送信データを受信したときに（Ｓ１１、Ｓ１６−ＹＥＳ）、属性データ（８０−ｉ）をメモリ（３８）に格納する（Ｓ１４、Ｓ１５）。
受信制御部（５１）は、送信機（１）から送信データを受信していない場合（Ｓ１６−ＮＯ）、属性保存許可指示を出力する。
第２属性保存制御部（５４）は、属性保存許可指示に応じて、メモリ（３８）から属性データ（８０−ｉ）を読み出して第２光ディスク記憶部（４４）に格納する（Ｓ１７、Ｓ１８）。
【００１７】
本発明のデジタル放送システムでは、受信機（３）が送信データを受信したとき、先に、映像保存制御部（５２）が映像データ（１０−ｉ）、輪郭データ（７０−ｉ）を第１光ディスク記憶部（４３）に格納し、後に、第２属性保存制御部（５４）が属性データ（８０−ｉ）を第２光ディスク記憶部（４４）に格納する。このため、受信機（３）は、映像データ（１０−１〜１０−ｎ）を連続的に読み出して、読み出した映像データ（１０−１〜１０−ｎ）をスムーズに再生することができる。
【００１８】
本発明のデジタル放送システムにおいて、輪郭データ（７０−ｉ）は、属性データ（８０−ｉ）を識別する属性データ識別子（７２）を含む。
属性表示制御部（５８）は、輪郭指示に応じて（Ｓ３１−ＹＥＳ）、属性データ識別子（７２）に対応する属性データ（８０−ｉ）をメモリ（３８）から読み出し、映像データ（１０−ｉ）に重ねて表示装置（４）に表示する（Ｓ３２、Ｓ３３）。
【００１９】
本発明のデジタル放送システムでは、受信機（３）が輪郭データ（７０−ｉ）に対応する属性データ（８０−ｉ）をメモリ（３８）から読み出すために、輪郭データ（７０−ｉ）には上記の属性データ識別子（７２）が含まれていることが好ましい。
【００２０】
本発明のデジタル放送システムにおいて、輪郭データ（７０−ｉ）は、映像データ（１０−ｉ）の特定領域（９）の位置を指し示す位置情報（７１）を含む。
映像表示制御部（５７）は、再生指示に応じて（Ｓ２４−ＹＥＳ）、記憶装置（３６）｛光ディスク（３７）の第１光ディスク記憶部（４３）｝に格納された映像データ（１０−ｉ）と輪郭データ（７０−ｉ）とを読み出し、映像データ（１０−ｉ）を表示装置（４）に表示し、位置情報（７１）に基づいて、映像データ（１０−ｉ）の特定領域（９）に輪郭データ（７０−ｉ）を重ねて表示装置（４）に表示する（Ｓ２５〜Ｓ２８）。
【００２１】
本発明のデジタル放送システムでは、受信機（３）が映像データ（１０−ｉ）の特定領域（９）を認識するために、輪郭データ（７０−ｉ）には上記の位置情報（７１）が含まれていることが好ましい。
【００２２】
本発明のデジタル放送システムにおいて、属性データ（８０−ｉ）は、映像データ（１０−ｉ）の特定領域（９）に写された人（２０）に関連する個人情報（８１）と、映像データ（１０−ｉ）の特定領域（９）に写された品物（３０）に関連する品物情報（８２）との少なくとも１つを含む。
【００２３】
本発明のデジタル放送システムによれば、ユーザ（Ｙ）は、テレビ放送｛映像データ（１０−ｉ）｝から、ユーザ（Ｙ）が要求する情報｛属性データ（８０−ｉ）｝として、映像データ（１０−ｉ）の特定領域（９）に写された人物｛人（２０）、品物（３０）｝の情報を得ることができる。
本発明のデジタル放送システムでは、ユーザ（Ｙ）は、映像データ（１０−ｉ）の特定領域（９）に写された品物（３０）の情報を得ることにより、品物（３０）を購入する可能性がある。本発明のデジタル放送システムによれば、ユーザ（Ｙ）がテレビ｛受信機（３）、表示装置（５）｝を利用することにより、品物（３０）の流通を促進させることができる。
【００２４】
本発明のデジタル放送システムにおいて、個人情報（８１）は、人（２０）への連絡先を含む。
人（２０）への連絡先は、人（２０）又は人（２０）の関係者が所有する端末（７）のＵＲＬと、人（２０）又は関係者が所有する電話機の電話番号と、人（２０）又は関係者が所有するファクシミリのファクシミリ番号との少なくとも１つを含む。
【００２５】
ユーザ（Ｙ）は、映像データ（１０−ｉ）の特定領域（９）に写された人（２０）について連絡をとりたい場合がある。本発明のデジタル放送システムによれば、属性データ（８０−ｉ）として人（２０）又は人（２０）の関係者への連絡先｛端末（７）のＵＲＬ、電話番号、ファクシミリ番号｝が表示装置（４）に表示されている場合、ユーザ（Ｙ）は、表示装置（４）に表示された端末（７）のＵＲＬ、電話番号、ファクシミリ番号の少なくとも１つを用いて、人（２０）又は人（２０）の関係者と通信することができる。
【００２６】
本発明のデジタル放送システムにおいて、品物情報（８２）は、品物（３０）の名前と、品物（３０）の値段と、品物（３０）を販売する販売元の名称と、販売元への連絡先の少なくとも１つを含む。
販売元への連絡先は、販売元が所有する端末（８）のＵＲＬと、販売元が所有する電話機の電話番号と、販売元が所有するファクシミリのファクシミリ番号との少なくとも１つを含む。
【００２７】
ユーザ（Ｙ）は、映像データ（１０−ｉ）の特定領域（９）に写された品物（３０）について連絡をとりたい場合がある。本発明のデジタル放送システムによれば、属性データ（８０−ｉ）として品物（３０）を販売する販売元への連絡先｛端末（８）のＵＲＬ、電話番号、ファクシミリ番号｝が表示装置（４）に表示されている場合、ユーザ（Ｙ）は、表示装置（４）に表示された端末（８）のＵＲＬ、電話番号、ファクシミリ番号の少なくとも１つを用いて、販売元と通信することができる。
【００２８】
本発明のデジタル放送システムにおいて、受信機（３）は、通信網（６）に接続されている。
受信機（３）の制御装置（４０）は、更に、ＵＲＬ通信制御部（５９）を具備する。
ＵＲＬ通信制御部（５９）は、ユーザ（Ｙ）によるＵＲＬ通信指示に応じて、表示装置（４）に表示された属性データ（８０−ｉ）に含まれるＵＲＬを用いて、端末（７、８）と通信網（６）を介して通信する（Ｓ３３）。
【００２９】
本発明のデジタル放送システムにおいて、品物（３０）は、人（２０）が身に付けている。
ユーザ（Ｙ）は、映像データ（１０−ｉ）の特定領域（９）に写された人（２０）を見て品物（３０）を気に入る場合がある。このため、本発明のデジタル放送システムでは、品物（３０）の流通を促進させるために、人（２０）が身に付けている品物（３０）の情報をユーザ（Ｙ）に提供することが好ましい。
【発明の効果】
【００３０】
以上の構成により、本発明のデジタル放送システムは、利用性が向上する。
【００３１】
本発明のデジタル放送システムは、テレビ放送から、ユーザが要求する情報を得ることができる。
【００３２】
本発明のデジタル放送システムは、ユーザが要求する情報を素早く提供することができる。
【００３３】
本発明のデジタル放送システムは、品物の流通を促進させることができる。
【発明を実施するための最良の形態】
【００３４】
添付図面を参照して、本発明によるデジタル放送システムを実施するための最良の形態を以下に説明する。
【００３５】
図４は、本発明のデジタル放送システムの構成を示す。本発明のデジタル放送システムは、送信機１、テレビ５０を具備する。テレビ５０は、受信機３、表示装置４、入力装置５を具備する。送信機１は、テレビ放送事業者（放送局）Ｘにより利用される。テレビ５０（受信機３、表示装置４、入力装置５）は、ユーザＹに利用される。送信機１と受信機３とはネットワーク２に接続されている。受信機３は、表示装置４と入力装置５とに接続されている。入力装置５は、ポインティングデバイス、リモートコントロール（リモコン）を含む。送信機１は、図示しない入力装置と図示しない表示装置とに接続されている。
【００３６】
受信機３は、更に、インターネット接続用の通信網６に接続されている。ユーザは、受信機３を用いてインターネットを利用することができる。通信網６には端末７、端末８が接続されている。端末７はユーザＶに利用され、端末８はユーザＷに利用される。受信機３は、端末７のＵＲＬを用いて、端末７と通信可能であり、端末８のＵＲＬを用いて、端末８と通信可能である。
【００３７】
放送局Ｘは、ニュース、天気予報、交通情報、スポーツの結果など、放送中のテレビ放送とは独立した内容のデータ放送を行なう。従って、テレビ放送用の画面を映像データと称し、データ放送用の画面を独立データと称する。送信機１は、テレビ放送用の映像データ、音声放送用の音声データ、データ放送用の独立データをネットワーク２に送信する。受信機３は、映像データ、音声データ、独立データを受信する。
独立データ放送において、ユーザＹは、入力装置５を操作する（チャンネルを切り替える）ことにより、独立データを視聴することができる。付加データ放送（Ｌ字合成、オーバーレイ）において、ユーザＹは、映像データ、音声データを視聴中に入力装置５を操作する｛ｄボタン（データボタン）を押す｝ことにより、独立データを視聴することができる。
このように、ユーザＹは、テレビ放送（映像データ）と独立したデータ放送（独立データ）から、ある情報（ニュース、天気予報、交通情報、スポーツの結果）を得ることができる。
【００３８】
送信機１は、映像データを送信するとき、映像データと輪郭データと属性データとを含む送信データを送信する。輪郭データは、映像データの特定領域を表すデータであり、受信機３により映像データと同期して表示装置４に表示されるデータである。属性データは、映像データの特定領域に関連する情報を表し、表示装置４に表示された輪郭データをユーザＹが指示したときに受信機３により表示装置４に表示されるデータである。輪郭データ、属性データの詳細については後述する。
受信機３は、映像データと輪郭データと属性データとを受信機３内の記憶装置（後述）に格納する。ユーザＹが入力装置５を用いて再生指示を行なったとき、受信機３は、再生指示に応じて、受信機３の記憶装置に格納された映像データと輪郭データとを重ねて表示装置４に表示する。ユーザＹが入力装置５を用いて輪郭データを指示する輪郭指示を行なったとき、受信機３は、輪郭指示に応じて、輪郭データに対応する属性データを受信機３の記憶装置から読み出し、映像データに重ねて表示装置４に表示する。
ユーザＹは、テレビ放送（映像データ）の特定領域に写された人物（人、物）に関連する情報を知りたい場合がある。この場合、受信機３は、ユーザＹによる要求（輪郭指示）に応じて、テレビ放送（映像データ）の特定領域に関連する情報（属性データ）をユーザＹに提供する。このように、本発明のデジタル放送システムによれば、ユーザＹは、テレビ放送（映像データ）から、ユーザＹが要求する情報（属性データ）を得ることができる。
従って、本発明のデジタル放送システムによれば、ユーザＹは、テレビ放送（映像データ）を視聴するだけでなく、情報（属性データ）を知りたいときに要求することにより、受信機３の利用性が向上する。
【００３９】
次に、このような効果を実現する送信機１、受信機３の構成について説明する。
【００４０】
図５は、本発明のデジタル放送システムにおける送信機１の構成を示す。送信機１は、マルチプレクサ（ＭＵＸ）１１、１２、送信部１３、記憶装置１４、制御装置１５を具備する。送信部１３は、ネットワーク２に接続されている。記憶装置１４には、複数の映像データが格納されている。映像データのデータ形式としては、ＭＰＥＧ（Ｍｏｖｉｎｇ  Ｐｉｃｔｕｒｅ  Ｅｘｐｅｒｔｓ  Ｇｒｏｕｐ）２が例示される。
【００４１】
図６は、本発明のデジタル放送システムにおける送信機１の制御装置１５の構成を示す。制御装置１５は、コンピュータであり、ＣＰＵ（Ｃｅｎｔｒａｌ  Ｐｒｏｃｅｓｓｉｎｇ  Ｕｎｉｔ）１６、記憶部１７を具備する。記憶部１７には、ＣＰＵ１６が実行するためのコンピュータプログラム１８が格納されている。コンピュータプログラム１８は、輪郭データ生成部２１、保存用映像データ生成部２２、属性データ生成部２３、送信データ生成部２４、送信制御部２５を含む。
【００４２】
まず、送信機１の制御装置１５の輪郭データ生成部２１について説明する。
輪郭データ生成部２１は、放送局Ｘの作業員の操作（入力装置の操作）により、記憶装置１４に格納された映像データ１０−１〜１０−ｎ（ｎは１以上の整数）のうち、映像データ１０−ｉ（ｉ＝１、２、…、ｎ）を取り出す。輪郭データ生成部２１は、放送局Ｘの作業員の操作により、図７に示されるような輪郭データ７０−ｉを生成する。輪郭データ７０−ｉは、映像データ１０−ｉの特定領域９を表し、特定領域９には、例えば、人２０と物３０とが写されている。また、特定領域９には、人２０のみが写されている場合や、物３０のみが写されている場合もある。本実施例では、特定領域９に写された人２０は物３０を身に付けているものとする。人２０が身に付けている物３０としては、洋服（スーツ、シャツ、ズボン、ユニフォーム）、アクセサリー（腕時計、ネックレス、ブレスレット、帽子）が例示される。
【００４３】
受信機３が輪郭データ７０−ｉを映像データ１０−ｉに重ねて表示するために、送信機１により特定領域９の位置を決定する必要がある。
輪郭データ７０−ｉは、特定領域９の位置を指し示す位置情報を含む。位置情報は、座標により表される。図７に示されるように、位置情報は、例えば特定領域９の形状が四角形である場合、座標点Ｏに対して、座標点Ａ、Ｂ、Ｃ、Ｄを含む。座標点Ｏは、映像データ１０−ｉを構成する画素のうち、一番初めに走査される画素を原点としたものである。走査線に平行な方向（横方向）をｘ、走査線に垂直な方向（縦方向）をｙとしたとき、座標点Ｏ（ｘ、ｙ）は（０、０）で表される。座標点Ａ、Ｂ、Ｃ、Ｄ（ｘ、ｙ）は、座標点Ｏ（０、０）に対する画面上の距離を表す。
【００４４】
図８に示されるように、輪郭データ７０−ｉは、上記の位置情報である位置情報７１を記載する位置情報欄と、上記の属性データの名称である属性データ識別子７２を記載する属性データ識別子欄とを含む。
【００４５】
輪郭データ生成部２１は、放送局Ｘの作業員の操作により、位置情報７１として、座標点Ａと、座標点Ｂと、座標点Ｃと、座標点Ｄと、特定領域９の形状を表す命令と、中心座標点とを位置情報欄に書き込む。例えば、座標点Ａ（ｘ、ｙ）は（１００、１００）で表され、座標点Ｂ（ｘ、ｙ）は（１００、２００）で表され、座標点Ｃ（ｘ、ｙ）は（２００、１００）で表され、座標点Ｄ（ｘ、ｙ）は（２００、２００）で表され、中心座標点（ｘ、ｙ）は（１５０、１５０）で表される。中心座標点（１５０、１５０）は、座標点Ａ、Ｄを結ぶ対角線と、座標点Ｂ、Ｃを結ぶ対角線との交点を表す。特定領域９の形状を表す命令は“線（Ｌｉｎｅ）”である。命令“Ｌｉｎｅ”と中心座標点は、受信機３が特定領域９を認識するために用いられる命令である。受信機３は、座標点Ａ、座標点Ｂ、座標点Ｃ、座標点Ｄ、特定領域９の形状を表す命令“Ｌｉｎｅ”、中心座標点に基づいて、座標点Ａ、Ｂを直線で結び、座標点Ｂ、Ｄを直線で結び、座標点Ｄ、Ｃを直線で結び、座標点Ｃ、Ａを直線で結び、特定領域９を認識することができる。受信機３により輪郭データ７０−ｉが表示される場合、座標点Ａ、Ｂを結ぶ線と座標点Ｂ、Ｄを結ぶ線と座標点Ｄ、Ｃを結ぶ線と座標点Ｃ、Ａを結ぶ線とが表示装置４に表示される。表示装置４に表示される線（直線）としては、実線、点線、白抜き線が例示される。
なお、特定領域９の形状が円形である場合、輪郭データ生成部２１は、放送局Ｘの作業員の操作により、位置情報７１として、特定領域９の形状を表す命令“円”と、円の半径（５０）と、中心座標点（１５０、１５０）とを位置情報欄に書き込めばよい。
【００４６】
輪郭データ生成部２１は、放送局Ｘの作業員の操作により、上記の属性データを識別するための属性データ識別子７２を属性データ識別子欄に書き込む。
【００４７】
次に、送信機１の制御装置１５の保存用映像データ生成部２２について説明する。
保存用映像データ生成部２２は、放送局Ｘの作業員の操作により、映像データ１０−ｉと輪郭データ７０−ｉとを多重化して保存用映像データが生成されるように、送信機１のＭＵＸ１１を制御する。
【００４８】
次に、送信機１の制御装置１５の属性データ生成部２３について説明する。
属性データ生成部２３は、放送局Ｘの作業員の操作により、映像データ１０−ｉの特定領域９に関連する情報である属性データ８０−ｉを生成する。図９に示されるように、属性データ８０−ｉは、個人情報８１を記載する個人情報欄と、品物情報８２を記載する品物情報欄と、属性データ識別子８３を記載する属性データ識別子欄とを含む。
【００４９】
個人情報８１は、映像データ１０−ｉの特定領域９に写された人２０に関連する情報である。個人情報８１は、人２０の名前と、人２０の年齢と、人２０の実績とを含む。人２０の実績としては、人２０がスポーツ選手である場合、所属チーム、年俸、成績が例示され、人２０が俳優である場合、所属事務所、出演した映画の代表作が例示される。人２０又は人２０の関係者（所属チーム、所属事務所）は、上記のユーザＶであり、上記の端末７と電話機とファクシミリとを所有している。個人情報８１は、更に、人２０への連絡先を含む。人２０への連絡先は、人２０又は人２０の関係者が所有する端末７のＵＲＬと、人２０又は関係者が所有する電話機の電話番号と、人２０又は関係者が所有するファクシミリのファクシミリ番号との少なくとも１つを含む。ここで、放送局Ｘと、人２０又は人２０の関係者（所属チーム、所属事務所）とは、提携している。属性データ生成部２３は、放送局Ｘの作業員の操作により、個人情報８１として、人２０の名前と、人２０の年齢と、人２０の実績と、人２０への連絡先（端末７のＵＲＬ、電話番号、ファクシミリ番号）とを個人情報欄に書き込む。
【００５０】
品物情報８２は、映像データ１０−ｉの特定領域９に写された品物３０に関連する情報である。品物情報８２は、品物３０の名前と、品物３０の値段と、品物３０を販売する販売元の名称とを含む。販売元は、上記のユーザＷであり、上記の端末８と電話機とファクシミリとを所有している。品物情報８２は、更に、販売元への連絡先を含む。販売元への連絡先は、販売元が所有する端末８のＵＲＬと、販売元が所有する電話機の電話番号と、販売元が所有するファクシミリのファクシミリ番号との少なくとも１つを含む。ここで、放送局Ｘと販売元とは、提携している。属性データ生成部２３は、放送局Ｘの作業員の操作により、品物情報８２として、品物３０の名前と、品物３０の値段と、販売元の名称と、販売元への連絡先（端末８のＵＲＬ、電話番号、ファクシミリ番号）とを品物情報欄に書き込む。
【００５１】
属性データ識別子８３は、属性データ８０−ｉの名称を表し、その名称は属性データ識別子７２と同じである。属性データ生成部２３は、放送局Ｘの作業員の操作により、属性データ識別子８３を属性データ識別子欄に書き込む。
【００５２】
次に、送信機１の制御装置１５の送信データ生成部２４、送信制御部２５について説明する。
送信データ生成部２４は、放送局Ｘの作業員の操作により、保存用映像データ（映像データ１０−ｉ、輪郭データ７０−ｉ）と属性データ８０−ｉとを多重化して送信データが生成されるように、送信機１のＭＵＸ１２を制御する。
送信制御部２５は、送信データ生成部２４により生成された送信データ｛保存用映像データ（映像データ１０−ｉ、輪郭データ７０−ｉ）、属性データ８０−ｉ｝を記憶装置１４に格納する。送信制御部２５は、放送局Ｘの作業員の操作により、記憶装置１４に格納された１番目からｎ番目までの送信データが１番目からｎ番目の順に受信機３に送信されるように、送信機１の送信部１３を制御する。
【００５３】
図１０は、本発明のデジタル放送システムにおける受信機３の構成を示す。受信機３は、受信部３１、デマルチプレクサ（ＤＥＭＵＸ）３２、３４、デコーダ３３、３５、記憶装置３６、通信部３９、制御装置４０を具備する。受信部３１は、ネットワーク２に接続され、送信機１からの送信データを受信する。通信部３９は、通信網６に接続されている。記憶装置３６は、上記の受信機３の記憶装置である。記憶装置３６は、光ディスク３７、メモリ３８を含む。光ディスク３７としては、ＤＶＤ（Ｄｉｇｉｔａｌ  Ｖｉｄｅｏ  Ｄｉｓｋ）が例示される。光ディスク３７、メモリ３８を用いる理由については後述する。
【００５４】
図１１は、本発明のデジタル放送システムにおける受信機３の記憶装置３６である光ディスク３７を示す。光ディスク３７は、第１記憶領域４１である第１光ディスク記憶部４３と、第２記憶領域４２である第２光ディスク記憶部４４とを含む。
【００５５】
図１２は、本発明のデジタル放送システムにおける受信機３の制御装置４０の構成を示す。制御装置４０は、コンピュータであり、ＣＰＵ（Ｃｅｎｔｒａｌ  Ｐｒｏｃｅｓｓｉｎｇ  Ｕｎｉｔ）４５、記憶部４６を具備する。記憶部４６には、ＣＰＵ４５が実行するためのコンピュータプログラム４７が格納されている。コンピュータプログラム４７は、受信制御部５１、映像保存制御部５２、第１属性保存制御部５３、第２属性保存制御部５４、フラグ格納部５５、読出制御部５６、映像表示制御部５７、属性表示制御部５８、ＵＲＬ通信制御部５９を含む。
【００５６】
まず、受信機３の制御装置４０の受信制御部５１、フラグ格納部５５について説明する。
図１３に示されるように、フラグ格納部５５には、属性保存許可指示フラグ６０が受信制御部５１によって設定（格納）される。受信部３１が送信データを受信したときに、受信制御部５１は、受信検知信号をフラグ格納部５５に出力する。フラグ格納部５５は、受信検知信号に応じて、属性保存許可指示フラグ６０を非設定する。受信部３１が送信データを受信していないときに、受信制御部５１は、受信検知信号に代えて非受信検知信号をフラグ格納部５５に出力する。フラグ格納部５５は、非受信検知信号に応じて、属性保存許可指示フラグ６０を設定する。
【００５７】
次に、受信機３の制御装置４０の映像保存制御部５２について説明する。
映像保存制御部５２は、受信機３の受信部３１により受信された送信データが保存用映像データ（映像データ１０−ｉ、輪郭データ７０−ｉ）と属性データ８０−ｉとに分離されるように、受信機３のＤＥＭＵＸ３２を制御する。映像保存制御部５２は、映像保存制御部５２により分離された保存用映像データ（映像データ１０−ｉ、輪郭データ７０−ｉ）をデコードして第１光ディスク記憶部４３に格納されるように、受信機３のデコーダ３３を制御する。フラグ格納部５５に属性保存許可指示フラグ６０が設定されていない場合、映像保存制御部５２が第１光ディスク記憶部４３に保存用映像データ（映像データ１０−ｉ、輪郭データ７０−ｉ）を格納（記録）している途中であることを表す。
【００５８】
次に、受信機３の制御装置４０の第１属性保存制御部５３、第２属性保存制御部５４について説明する。
第１属性保存制御部５３は、映像保存制御部５２により分離された属性データ８０−ｉをファイル化する。ファイル化された属性データ８０−ｉ（ファイル化属性データ８０−ｉ）は、読出制御部５６、属性表示制御部５８による読み出しに適した形式、且つ、表示装置４への表示に適した形式に変換される。第１属性保存制御部５３は、ファイル化属性データ８０−ｉをメモリ３８に格納する。
フラグ格納部５５に属性保存許可指示フラグ６０が設定されている場合、第２属性保存制御部５４は、メモリ３８からファイル化属性データ８０−ｉを読み出して第２光ディスク記憶部４４に格納する。
【００５９】
次に、受信機３の制御装置４０の読出制御部５６、映像表示制御部５７について説明する。
ユーザＹは、入力装置５を用いて、光ディスク３７に格納された映像データ１０−１〜１０−ｎを再生するときに、読出指示、再生指示の順に、読出指示、再生指示を受信機３に行なう。
読出制御部５６は、読出指示に応じて、第２光ディスク記憶部４４からファイル化属性データ８０−ｉを読み出してメモリ３８に格納する。
映像表示制御部５７は、再生指示に応じて、第１光ディスク記憶部４３から保存用映像データ（映像データ１０−ｉ、輪郭データ７０−ｉ）を読み出す。映像表示制御部５７は、読み出された保存用映像データが映像データ１０−ｉと輪郭データ７０−ｉとに分離されるように、受信機３のＤＥＭＵＸ３４を制御する。映像表示制御部５７は、分離された映像データ１０−ｉがデコードされて表示装置４に表示されるように、受信機３のデコーダ３５を制御する。映像表示制御部５７は、分離された輪郭データ７０−ｉの位置情報７１に含まれる座標点Ａ、座標点Ｂ、座標点Ｃ、座標点Ｄ、特定領域９の形状を表す命令“Ｌｉｎｅ”、中心座標点に基づいて、映像データ１０−ｉの特定領域９を認識する。図１４に示されるように、映像表示制御部５７は、分離された輪郭データ７０−ｉを映像データ１０−ｉの特定領域９に重ねて表示装置４に表示する。この場合、座標点Ａ、Ｂを結ぶ直線と座標点Ｂ、Ｄを結ぶ直線と座標点Ｄ、Ｃを結ぶ直線と座標点Ｃ、Ａを結ぶ直線とが実線、点線、白抜き線のいずれかにより表示装置４に表示される。
【００６０】
次に、受信機３の制御装置４０の属性表示制御部５８について説明する。
ユーザＹは、映像データ１０−ｉと輪郭データ７０−ｉとが表示装置４に表示されているときに、特定領域９に写された人物（人２０、品物３０）の情報を知りたい場合、入力装置５を用いて輪郭データ７０−ｉを指定する輪郭指示を行なう。属性表示制御部５８は、輪郭指示に応じて、輪郭データ７０−ｉに含まれる属性データ識別子７２に対応するファイル化属性データ８０−ｉをメモリ３８から読み出す。図１４に示されるように、属性表示制御部５８は、読み出したファイル化属性データ８０−ｉを映像データ１０−ｉに重ねて表示装置４に表示する。
ユーザＹは、入力装置５を用いて、ファイル化属性データ８０−ｉの表示を終了するための属性終了指示を行なう。属性表示制御部５８は、属性終了指示に応じて、ファイル化属性データ８０−ｉの表示を終了する。
【００６１】
このように、本発明のデジタル放送システムによれば、ユーザＹは、テレビ放送（映像データ１０−ｉ）から、ユーザＹが要求する情報（属性データ８０−ｉ）として、映像データ１０−ｉの特定領域９に写された人物（人２０、品物３０）の情報を得ることができる。
【００６２】
ユーザＹは、映像データ１０−ｉの特定領域９に写された人２０について連絡をとりたい場合がある。本発明のデジタル放送システムによれば、ファイル化属性データ８０−ｉとして人２０（又は人２０の関係者）への連絡先（端末７のＵＲＬ、電話番号、ファクシミリ番号）が表示装置４に表示されている場合、ユーザＹは、表示装置４に表示された端末７のＵＲＬ、電話番号、ファクシミリ番号の少なくとも１つを用いて、人２０（又は人２０の関係者）と通信することができる。
また、ユーザＹは、映像データ１０−ｉの特定領域９に写された品物３０について連絡をとりたい場合がある。本発明のデジタル放送システムによれば、ファイル化属性データ８０−ｉとして品物３０を販売する販売元への連絡先（端末８のＵＲＬ、電話番号、ファクシミリ番号）が表示装置４に表示されている場合、ユーザＹは、表示装置４に表示された端末８のＵＲＬ、電話番号、ファクシミリ番号の少なくとも１つを用いて、販売元と通信することができる。
【００６３】
本発明のデジタル放送システムでは、ユーザＹは、映像データ１０−ｉの特定領域９に写された品物３０の情報を得ることにより、品物３０を購入する可能性がある。本発明のデジタル放送システムによれば、ユーザＹがテレビ（受信機３、表示装置４、入力装置５）を利用することにより、品物３０の流通を促進させることができる。
【００６４】
次に、受信機３の制御装置４０のＵＲＬ通信制御部５９について説明する。
ユーザＹは、表示装置４に表示された端末７のＵＲＬを用いて、人２０（又は人２０の関係者）と通信する場合、入力装置５を用いて、ファイル化属性データ８０−ｉに含まれる端末７のＵＲＬを指定するＵＲＬ通信指示を行なう。ＵＲＬ通信制御部５９は、ＵＲＬ通信指示により指定された端末７のＵＲＬを用いて、通信網６を介して端末７と通信するように、受信機３の通信部３９を制御する。
ユーザＹは、表示装置４に表示された端末８のＵＲＬを用いて、販売元と通信する場合、入力装置５を用いて、ファイル化属性データ８０−ｉに含まれる端末８のＵＲＬを指定するＵＲＬ通信指示を行なう。ＵＲＬ通信制御部５９は、ＵＲＬ通信指示により指定された端末８のＵＲＬを用いて、通信網６を介して端末８と通信するように、受信機３の通信部３９を制御する。
【００６５】
ここで、光ディスク３７、メモリ３８を用いる理由について説明する。
【００６６】
本発明のデジタル放送システムでは、受信機３の利用性を向上させるために、記憶装置３６として、上記の光ディスク３７を用いる。光ディスク３７は、近年の開発により大容量化され、家庭用としても普及されており、ビデオテープに代わる記録媒体として期待されている。
【００６７】
しかし、光ディスク３７は、ハードディスクと違って、一つのヘッドにより読み出し／書き込みを行なうため、読み出し／書き込みのスピードがハードディスクに比べて遅い。例えば、受信機３は、再生指示に応じて、光ディスク３７の第１光ディスク記憶部４３にヘッドをシークさせて、第１光ディスク記憶部４３から保存用映像データを読み出して映像データ１０−ｉ、輪郭データ７０−ｉを表示装置４に表示する。ユーザＹは、属性データ８０−ｉを表示装置４に表示させるために、輪郭データ７０−ｉを指定する輪郭指示を行なう。このとき、受信機３は、光ディスク３７の第２光ディスク記憶部４４から属性データ８０−ｉを読み出すために、第２光ディスク記憶部４４にヘッドをシークさせる必要がある。この場合、ユーザが要求する情報（属性データ８０−ｉ）を素早く提供することができない。
【００６８】
そこで、本発明のデジタル放送システムでは、ユーザが要求する情報（属性データ８０−ｉ）を素早く提供するために、記憶装置３６として、更に、上記のメモリ３８を用いる。受信機３では、映像データ１０−ｉを再生する前に、読出制御部５６は、読出指示に応じて、属性データ８０−ｉを光ディスク３７の第２光ディスク記憶部４４から読み出してメモリ３８に格納しておく。映像表示制御部５７は、再生指示に応じて、映像表示制御部５７が光ディスク３７の第１光ディスク記憶部４３にヘッドをシークさせて、第１光ディスク記憶部４３から保存用映像データを読み出して映像データ１０−ｉ、輪郭データ７０−ｉを表示装置４に表示する。ユーザＹは、属性データ８０−ｉを表示装置４に表示させるために、輪郭データ７０−ｉを指定する輪郭指示を行なう。このとき、受信機３では、映像表示制御部５７が第１光ディスク記憶部４３にヘッドをシークさせたまま、属性表示制御部５８は、輪郭データ７０−ｉに対応する属性データ８０−ｉをメモリ３８から読み出して表示装置４に表示することができる。したがって、本発明のデジタル放送システムでは、ユーザが要求する情報（属性データ８０−ｉ）を素早く提供することができる。本発明のデジタル放送システムでは、光ディスク３７とメモリ３８とを用いることにより、映像データ１０−１〜１０−ｎを連続的に読み出して、読み出した映像データ１０−１〜１０−ｎをスムーズに再生することができる。
【００６９】
本発明のデジタル放送システムの動作について説明する。送信機１は、送信データを送信する送信処理を実行する。受信機３は、送信データを受信する受信処理と、映像データ１０−ｉと輪郭データ７０−ｉとを表示する映像表示処理と、属性データ８０−ｉを表示する属性表示処理とを実行する。
【００７０】
図１５は、本発明のデジタル放送システムの送信機１の動作として送信処理を示すフローチャートである。ここで、人２０は俳優であり、人２０（俳優）は、品物３０としてスーツを身に付けているものとする。販売元（ユーザＷ）は、品物３０（スーツ）を販売するために、品物３０の名前と、品物３０の値段と、品物３０を販売する販売元の名称と、販売元への連絡先（端末８のＵＲＬ、電話番号、ファクシミリ番号）とを放送局Ｘに通知している。
【００７１】
輪郭データ生成部２１は、放送局Ｘの作業員の操作により、記憶装置１４に格納された映像データ１０−１〜１０−ｎのうち、映像データ１０−ｉを取り出す。取り出された映像データ１０−ｉは、送信機１の表示装置に表示される。放送局Ｘの作業員は、映像データ１０−ｉを参照して、人２０（俳優）と品物３０（スーツ）とが写された特定領域９を決定する。輪郭データ生成部２１は、放送局Ｘの作業員の操作により、映像データ１０−ｉの特定領域９を表す輪郭データ７０−ｉを生成する。即ち、輪郭データ生成部２１は、放送局Ｘの作業員の操作により、位置情報７１として、座標点Ａと、座標点Ｂと、座標点Ｃと、座標点Ｄと、特定領域９の形状を表す命令“Ｌｉｎｅ”と、中心座標点とを輪郭データ７０−ｉの位置情報欄に書き込む。輪郭データ生成部２１は、放送局Ｘの作業員の操作により、属性データ識別子７２を輪郭データ７０−ｉの属性データ識別子欄に書き込む（ステップＳ１）。
【００７２】
保存用映像データ生成部２２は、放送局Ｘの作業員の操作により、ＭＵＸ１１を制御して、映像データ１０−ｉと輪郭データ７０−ｉとを多重化して保存用映像データを生成する（ステップＳ２）。
【００７３】
属性データ生成部２３は、放送局Ｘの作業員の操作により、属性データ８０−ｉを生成する。即ち、属性データ生成部２３は、放送局Ｘの作業員の操作により、個人情報８１として、人２０（俳優）の名前、年齢、実績を属性データ８０−ｉの個人情報欄に書き込む。属性データ生成部２３は、放送局Ｘの作業員の操作により、品物情報８２として、販売元（ユーザＷ）から通知された品物３０（スーツ）の名前、値段、販売元の名称、販売元への連絡先（端末８のＵＲＬ、電話番号、ファクシミリ番号）を属性データ８０−ｉの品物情報欄に書き込む。属性データ生成部２３は、放送局Ｘの作業員の操作により、属性データ識別子７２と同じ属性データ識別子８３を属性データ識別子欄に書き込む（ステップＳ３）。
【００７４】
送信データ生成部２４は、放送局Ｘの作業員の操作により、ＭＵＸ１２を制御して、保存用映像データ（映像データ１０−ｉ、輪郭データ７０−ｉ）と属性データ８０−ｉとを多重化して送信データを生成する（ステップＳ４）。
【００７５】
送信制御部２５は、送信データ生成部２４により生成された送信データ｛保存用映像データ（映像データ１０−ｉ、輪郭データ７０−ｉ）、属性データ８０−ｉ｝を記憶装置１４に格納する。送信制御部２５は、放送局Ｘの作業員の操作により、送信部１３を制御して、記憶装置１４に格納された１番目からｎ番目までの送信データをこの順に受信機３に送信する（ステップＳ５）。
【００７６】
図１６は、本発明のデジタル放送システムの受信機３の動作として受信処理を示すフローチャートである。
【００７７】
受信部３１は、送信機１から送信データを受信する。受信部３１が送信データを受信したときに、受信制御部５１は、受信検知信号をフラグ格納部５５に出力する。フラグ格納部５５は、受信検知信号に応じて、属性保存許可指示フラグ６０を非設定する（ステップＳ１１）。
【００７８】
映像保存制御部５２は、ＤＥＭＵＸ３２を制御して、受信部３１により受信された送信データを保存用映像データ（映像データ１０−ｉ、輪郭データ７０−ｉ）と属性データ８０−ｉとに分離する（ステップＳ１２）。
【００７９】
映像保存制御部５２は、デコーダ３３を制御して、映像保存制御部５２により分離された保存用映像データ（映像データ１０−ｉ、輪郭データ７０−ｉ）をデコードして第１光ディスク記憶部４３に格納する（ステップＳ１３）。
同時に、第１属性保存制御部５３は、映像保存制御部５２により分離された属性データ８０−ｉをファイル化（読出制御部５６、属性表示制御部５８による読み出しに適した形式、且つ、表示装置４への表示に適した形式に変換）して、ファイル化属性データ８０−ｉを生成する（ステップＳ１４）。第１属性保存制御部５３は、生成したファイル化属性データ８０−ｉをメモリ３８に格納する（ステップＳ１５）。
【００８０】
受信部３１は、送信機１から次の送信データを受信する（ステップＳ１６−ＹＥＳ）。この場合、受信機３（映像保存制御部５２、第１属性保存制御部５３）は、ステップＳ１２〜Ｓ１５を実行する。映像保存制御部５２は、第１光ディスク記憶部４３に保存用映像データ（映像データ１０−ｉ、輪郭データ７０−ｉ）を格納（記録）している。このため、フラグ格納部５５には属性保存許可指示フラグ６０が設定されない。
【００８１】
受信部３１は、送信機１から送信データを受信していない（ステップＳ１６−ＮＯ）。即ち、受信機３は、既に、１番目からｎ番目までの送信データを送信機１から受信している。この場合、受信制御部５１は、受信検知信号に代えて非受信検知信号をフラグ格納部５５に出力する。フラグ格納部５５は、非受信検知信号に応じて、属性保存許可指示フラグ６０を設定する。
【００８２】
第２属性保存制御部５４は、フラグ格納部５５に属性保存許可指示フラグ６０が設定されている場合、メモリ３８からファイル化属性データ８０−ｉを読み出す（ステップＳ１７）。第２属性保存制御部５４は、読み出したファイル化属性データ８０−ｉを第２光ディスク記憶部４４に格納する（ステップＳ１８）。
【００８３】
本発明のデジタル放送システムでは、受信機３が送信データを受信したとき、先に、映像保存制御部５２が保存用映像データ（映像データ１０−ｉ、輪郭データ７０−ｉ）を第１光ディスク記憶部４３に格納し、後に、第２属性保存制御部５４が属性データ８０−ｉを第２光ディスク記憶部４４に格納する。このため、受信機３は、後述する映像表示処理において、映像データ１０−１〜１０−ｎを連続的に読み出して、読み出した映像データ１０−１〜１０−ｎをスムーズに再生することができる。
【００８４】
図１７は、本発明のデジタル放送システムの受信機３の動作として映像表示処理を示すフローチャートである。
【００８５】
ユーザＹは、入力装置５を用いて、読出指示を受信機３に行なう（ステップＳ２１−ＹＥＳ）。このとき、読出制御部５６は、読出指示に応じて、第２光ディスク記憶部４４からファイル化属性データ８０−ｉを読み出す（ステップＳ２２）。読出制御部５６は、読み出したファイル化属性データ８０−ｉをメモリ３８に格納する（ステップＳ２３）。
【００８６】
ユーザＹは、入力装置５を用いて、再生指示を受信機３に行なう（ステップＳ２４−ＹＥＳ）。このとき、映像表示制御部５７は、再生指示に応じて、第１光ディスク記憶部４３から保存用映像データ（映像データ１０−ｉ、輪郭データ７０−ｉ）を読み出す（ステップＳ２５）。映像表示制御部５７は、ＤＥＭＵＸ３４を制御して、読み出した保存用映像データを映像データ１０−ｉと輪郭データ７０−ｉとに分離する（ステップＳ２６）。
【００８７】
映像表示制御部５７は、デコーダ３５を制御して、分離した映像データ１０−ｉをデコードして表示装置４に表示する（ステップＳ２７）。
【００８８】
映像表示制御部５７は、分離した輪郭データ７０−ｉの位置情報７１に含まれる座標点Ａ、座標点Ｂ、座標点Ｃ、座標点Ｄ、特定領域９の形状を表す命令“Ｌｉｎｅ”、中心座標点に基づいて、映像データ１０−ｉの特定領域９を認識する。映像表示制御部５７は、分離した輪郭データ７０−ｉとして、座標点Ａ、Ｂを結ぶ直線と座標点Ｂ、Ｄを結ぶ直線と座標点Ｄ、Ｃを結ぶ直線と座標点Ｃ、Ａを結ぶ直線とを、映像データ１０−ｉの特定領域９に重ねて表示装置４に表示する（ステップＳ２８）。
【００８９】
本発明のデジタル放送システムでは、受信機３は、常に第１光ディスク記憶部４３にヘッドをシークさせているため、映像データ１０−１〜１０−ｎを連続的に読み出して、読み出した映像データ１０−１〜１０−ｎをスムーズに再生することができる。
【００９０】
また、本発明のデジタル放送システムでは、受信機３が映像データ１０−ｉの特定領域９を認識するために、輪郭データ７０−ｉには上記の位置情報７１（座標点Ａ、座標点Ｂ、座標点Ｃ、座標点Ｄ、特定領域９の形状を表す命令“Ｌｉｎｅ”、中心座標点）が含まれていることが好ましい。
【００９１】
図１８は、本発明のデジタル放送システムの受信機３の動作として属性表示処理を示すフローチャートである。属性表示処理は、映像表示処理が実行された場合のみ実行される。
【００９２】
ユーザＹは、テレビ放送（映像データ１０−ｉ）の特定領域９に写された人物（人２０、品物３０）の情報を知りたい場合、入力装置５を用いて、輪郭データ７０−ｉを指定する輪郭指示を行なう（ステップＳ３１−ＹＥＳ）。このとき、属性表示制御部５８は、輪郭指示に応じて、輪郭データ７０−ｉに含まれる属性データ識別子７２に対応するファイル化属性データ８０−ｉをメモリ３８から読み出す（ステップＳ３２）。属性表示制御部５８は、読み出したファイル化属性データ８０−ｉを映像データ１０−ｉに重ねて表示装置４に表示する。このとき、表示装置４には、ファイル化属性データ８０−ｉの個人情報８１として人２０（俳優）の名前、年齢、実績が表示され、ファイル化属性データ８０−ｉの品物情報８２として品物３０（スーツ）の名前、値段、販売元（ユーザＷ）の名称、販売元への連絡先（端末８のＵＲＬ、電話番号、ファクシミリ番号）が表示される（ステップＳ３３）。
【００９３】
本発明のデジタル放送システムによれば、受信機３は、ユーザＹによる要求（輪郭指示）に応じて、映像データ１０−ｉの特定領域９に関連する情報（属性データ８０−ｉ）をユーザＹに提供する。ユーザＹは、テレビ放送（映像データ）の特定領域９に写された人物（人２０、品物３０）の情報を知りたい場合、テレビ放送（映像データ１０−ｉ）から、ユーザＹが要求する人物（人２０、品物３０）の情報として属性データ８０−ｉを得ることができる。
従って、本発明のデジタル放送システムによれば、ユーザＹは、テレビ放送（映像データ）を視聴するだけでなく、情報（属性データ）を知りたいときにその情報を要求することにより、受信機３の利用性が向上する。
【００９４】
また、本発明のデジタル放送システムでは、上述したように、受信機３の利用性を向上させるために、記憶装置３６として光ディスク３７を用いている。また、本発明のデジタル放送システムでは、記憶装置３６としてメモリ３８を更に用いる。受信機３は、第１光ディスク記憶部４３にヘッドをシークさせたまま、輪郭データ７０−ｉに対応する属性データ８０−ｉをメモリ３８から読み出して表示装置４に表示する。したがって、本発明のデジタル放送システムでは、ユーザが要求する情報（属性データ８０−ｉ）を素早く提供することができる。
【００９５】
また、本発明のデジタル放送システムでは、受信機３が輪郭データ７０−ｉに対応する属性データ８０−ｉをメモリ３８から読み出すために、輪郭データ７０−ｉには上記の属性データ識別子７２が含まれ、属性データ８０−ｉには、属性データ識別子７２と同じ属性データ識別子８３が含まれていることが好ましい。
【００９６】
ステップＳ３３にて、ユーザＹは、表示装置４に表示された品物３０（スーツ）を見て、品物３０（スーツ）についての情報を更に知りたくなる場合がある。ユーザＹは、表示装置４に表示された品物３０（スーツ）を見て、品物３０（スーツ）を発注したくなる場合がある。ユーザＹは、表示装置４に表示された人２０（俳優）を見て、人２０（俳優）が身に付けている品物３０（スーツ）を気に入って発注したくなる場合がある。
このような要求がある場合、ユーザＹは、表示装置４に表示されたＵＲＬ、電話番号、ファクシミリ番号の少なくとも１つを用いて、販売元（ユーザＷ）と通信する。ユーザＹが入力装置５を用いてＵＲＬを指定（ＵＲＬ通信指示）した場合、ＵＲＬ通信制御部５９は、通信部３９を制御して、ＵＲＬ通信指示により指定されたＵＲＬを用いて端末８と通信網６を介して通信する。
【００９７】
このように、本発明のデジタル放送システムでは、ユーザＹの要求が満たされる。
また、本発明のデジタル放送システムでは、映像データ１０−ｉの特定領域９に写された品物３０（スーツ）をユーザＹが見て発注する場合、流通が促進する。本発明のデジタル放送システムでは、品物３０（スーツ）の流通を促進させるために、人２０（俳優）が身に付けている品物３０（スーツ）の情報をユーザＹに提供することが好ましい。
【図面の簡単な説明】
【００９８】
【図１】図１は、独立データ放送の表示例を示す。
【図２】図２は、付加データ放送（Ｌ字合成）の表示例を示す。
【図３】図３は、付加データ放送（オーバーレイ）の表示例を示す。
【図４】図４は、本発明のデジタル放送システムの構成を示す。
【図５】図５は、本発明のデジタル放送システムにおける送信機の構成を示す。
【図６】図６は、本発明のデジタル放送システムにおける送信機の制御装置の構成を示す。
【図７】図７は、本発明のデジタル放送システムにおける映像データ、輪郭データを示す。
【図８】図８は、本発明のデジタル放送システムにおける輪郭データを示す。
【図９】図９は、本発明のデジタル放送システムにおける属性データを示す。
【図１０】図１０は、本発明のデジタル放送システムにおける受信機の構成を示す。
【図１１】図１１は、本発明のデジタル放送システムにおける受信機の記憶装置である光ディスクを示す。
【図１２】図１２は、本発明のデジタル放送システムにおける受信機の制御装置の構成を示す。
【図１３】図１３は、本発明のデジタル放送システムにおける受信機の制御装置のフラグ格納部を示す。
【図１４】図１４は、本発明のデジタル放送システムにおける表示装置に表示される映像データ、輪郭データ、属性データを示す。
【図１５】図１５は、本発明のデジタル放送システムの送信機の動作として送信処理を示すフローチャートである。
【図１６】図１６は、本発明のデジタル放送システムの受信機の動作として受信処理を示すフローチャートである。
【図１７】図１７は、本発明のデジタル放送システムの受信機の動作として映像表示処理を示すフローチャートである。
【図１８】図１８は、本発明のデジタル放送システムの受信機の動作として属性表示処理を示すフローチャートである。
【符号の説明】
【００９９】
１    送信機
２    ネットワーク
３    受信機
４    表示装置
５    入力装置
６    通信網
７、８    端末
９    特定領域
１０−ｉ（ｉ＝１、２、…、ｎ）    映像データ
１１、１２    マルチプレクサ（ＭＵＸ）
１３    送信部
１４    記憶装置
１５    制御装置
１６    ＣＰＵ
１７    記憶部
１８    コンピュータプログラム
２０    人
２１    輪郭データ生成部
２２    保存用映像データ生成部
２３    属性データ生成部
２４    送信データ生成部
２５    送信制御部
３０    品物
３１    受信部
３２、３４    デマルチプレクサ（ＤＥＭＵＸ）
３３、３５    デコーダ
３６    記憶装置
３７    光ディスク
３８    メモリ
３９    通信部
４０    制御装置
４１    第１記憶領域
４２    第２記憶領域
４３    第１光ディスク記憶部
４４    第２光ディスク記憶部
４５    ＣＰＵ
４６    記憶部
４７    コンピュータプログラム
５０    テレビ
５１    受信制御部
５２    映像保存制御部
５３    第１属性保存制御部
５４    第２属性保存制御部
５５    フラグ格納部
５６    読出制御部
５７    映像表示制御部
５８    属性表示制御部
５９    ＵＲＬ通信制御部
６０    属性保存許可フラグ
７０−ｉ（ｉ＝１、２、…、ｎ）    輪郭データ
７１    位置情報
７２    属性データ識別子
８０−ｉ（ｉ＝１、２、…、ｎ）    属性データ
８１    個人情報
８２    品物情報
８３    属性データ識別子
１００    表示装置
１０１、１０３、１０５    データ放送
１０２、１０４    テレビ放送
【図１】
2005260379.tif 000003
【図２】
2005260379.tif 000004
【図３】
2005260379.tif 000005
【図４】
2005260379.tif 000006
【図５】
2005260379.tif 000007
【図６】
2005260379.tif 000008
【図７】
2005260379.tif 000009
【図８】
2005260379.tif 000010
【図９】
2005260379.tif 000011
【図１０】
2005260379.tif 000012
【図１１】
2005260379.tif 000013
【図１２】
2005260379.tif 000014
【図１３】
2005260379.tif 000015
【図１４】
2005260379.tif 000016
【図１５】
2005260379.tif 000017
【図１６】
2005260379.tif 000018
【図１７】
2005260379.tif 000019
【図１８】
2005260379.tif 000020